(57)【要約】【課題】容易に且つ確実にトリムフレームやフラットアタッチメントなどのアタッチメントを取り付けることができ、その施工性を大幅に向上させることを可能にしたサッシ窓やサッシ戸などのサッシ構造及びサッシ構造の施工方法を提供する。【解決手段】建物の開口部の周縁に設置され、戸体や窓本体であるサッシ本体を支持する方形枠状の枠体１と、正面視で枠体１を囲繞するように配設される方形枠状のアタッチメント３とを備えるサッシ構造Ａにおいて、アタッチメント３を、上部横材４と下部横材５と一方の側部縦材６と他方の側部縦材７とを備えるとともに、上部横材４と下部横材５と一方の側部縦材６と他方の側部縦材７をそれぞれ個別に建物躯体Ｔに固着して、方形枠状を呈するように設置する。【選択図】図１
2015190253.tif 000002
【特許請求の範囲】
【請求項１】
建物の開口部の周縁に設置され、戸体や窓本体であるサッシ本体を支持する方形枠状の枠体と、正面視で前記枠体を囲繞するように配設される方形枠状のアタッチメントとを備えるサッシ構造において、
前記アタッチメントが、上部横材と下部横材と一方の側部縦材と他方の側部縦材とを備えるとともに、前記上部横材と前記下部横材と前記一方の側部縦材と前記他方の側部縦材をそれぞれ個別に建物躯体に固着して、方形枠状を呈するように設置されていることを特徴とするサッシ構造。
【請求項２】
請求項１記載のサッシ構造において、
前記アタッチメントの少なくとも一部を前記枠体と離間させた状態で、前記アタッチメントが前記建物躯体に固設されていることを特徴とするサッシ構造。
【請求項３】
建物の開口部の周縁に設置され、戸体や窓本体であるサッシ本体を支持する方形枠状の枠体と、正面視で前記枠体を囲繞するように配設される方形枠状のアタッチメントとを備えるサッシ構造の施工方法であって、
前記建物の開口部の周縁に枠体を設置する枠体設置工程と、
正面視で前記枠体を囲繞するようにアタッチメントを設置するアタッチメント設置工程とを備え、
且つ、前記アタッチメントが、上部横材と下部横材と一方の側部縦材と他方の側部縦材とを備えており、
前記アタッチメント設置工程では、前記上部横材を建物躯体に固着して所定位置に設置した後に、前記一方の側部縦材と前記他方の側部縦材をそれぞれ建物躯体に固着して所定位置に設置し、
前記一方の側部縦材と前記他方の側部縦材を設置した後に、前記下部横材を建物躯体に固着して所定位置に設置し、方形枠状のアタッチメントを形成することを特徴とするサッシ構造の施工方法。
【発明の詳細な説明】
【技術分野】
【０００１】
本発明は、サッシ窓やサッシ戸などのサッシの構造及びサッシ構造の施工方法に関する。
【背景技術】
【０００２】
従来、住宅などの建物には、引違い窓、上げ下げ窓、ＦＩＸ窓（はめ殺し窓）、外開き窓、内倒し窓、折りたたみ窓、回転窓などのそれぞれ開閉方式や機能が異なる各種サッシ窓が用いられている。また、この種のサッシ窓のサッシ（框）には、アルミサッシやスチールサッシ、樹脂サッシ、さらにアルミ型材と樹脂型材などの異なる材質の型材を組み合わせた複合サッシなどが多用されている。
【０００３】
また、住宅などの建物には、框ドアなどのサッシ戸も用いられている。
【０００４】
このようなサッシ窓やサッシ戸などのサッシ（サッシ構造）は、建物の開口部の内周に設置される方形枠状の枠体と、框及びガラスパネルなどの障子からなり、枠体に保持させて配設される窓本体や戸体などのサッシ本体とを備えて構成されている。
【０００５】
一方、例えばシャッターユニット（ウイング枠）、窓用屋根（庇）、サッシ下枠と外側との間の段差を解消するためのフラットアタッチメント、トリムフレーム、既存窓枠に新規窓枠を取り付けて改修するための改修用フレームなどの機能性、意匠性を向上させるためのアタッチメントを設置して、サッシを構成する場合もある（例えば、特許文献１、特許文献２、特許文献３参照）。
【０００６】
そして、一般に、この種のアタッチメントは、上部横材と下部横材と一対の側部縦材とを備えて方形枠状に形成され、これら部材を方形枠状に組み付けた状態で枠体を内包するように配設するとともに、枠体にビスなどで一体に固定して設置される。
【先行技術文献】
【特許文献】
【０００７】
【特許文献１】特開２０１０−１５０８１７号公報
【特許文献２】特開２０１０−１４４４０５号公報
【特許文献３】特開２００９−２９３３５５号公報
【発明の概要】
【発明が解決しようとする課題】
【０００８】
しかしながら、上記従来のアタッチメントを備えたサッシ窓やサッシ戸などのサッシ構造においては、アタッチメントが予め上部横材と下部横材と一対の側部縦材を組み付けて方形枠状に形成され、この状態で既に建物の開口部に設置した方形枠状の枠体を内包するように嵌め込んで設置される。あるいは、方形枠状の枠体に方形枠状のアタッチメントを予め嵌め込んで一体に取り付け、この状態で枠体とともに建物の開口部に設置される。
すなわち、いずれの場合においても、方形枠状の枠体に対して方形枠状のアタッチメントを嵌め込んで取り付ける作業が必要になる。
【０００９】
そして、このように枠体に対して４周組み立てた状態のアタッチメントを取り付けるため、その取付作業時には、アタッチメントを持って支える複数の作業者、ビスなどで取り付けを行う作業者の作業内容が異なる複数の作業者が必要になり、これら作業内容が異なる複数の作業者が狭所で協調しながら作業を行う必要がある。このため、アタッチメントの取り付けを行う際の施工性が悪く、この点を改善することが求められていた。
【００１０】
また、枠体の組立て公差やアタッチメントの組立て公差によって、取付作業時に枠体がアタッチメントに入らなかったり、非常に入りにくくなることがあり、この点も施工性を悪化させる一要因となっている。このため、枠体やアタッチメントの組立ての出来寸法に管理が必要になるとともに、高精度で枠体やアタッチメントを組み立て、形成することが要求されることになる。
【００１１】
本発明は、上記事情に鑑み、容易に且つ確実にトリムフレームやフラットアタッチメントなどのアタッチメントを取り付けることができ、その施工性を大幅に向上させることを可能にしたサッシ窓やサッシ戸などのサッシ構造及びサッシ構造の施工方法を提供することを目的とする。
【課題を解決するための手段】
【００１２】
上記の目的を達するために、この発明は以下の手段を提供している。
【００１３】
本発明のサッシ構造は、建物の開口部の周縁に設置され、戸体や窓本体であるサッシ本体を支持する方形枠状の枠体と、正面視で前記枠体を囲繞するように配設される方形枠状のアタッチメントとを備えるサッシ構造において、前記アタッチメントが、上部横材と下部横材と一方の側部縦材と他方の側部縦材とを備えるとともに、前記上部横材と前記下部横材と前記一方の側部縦材と前記他方の側部縦材をそれぞれ個別に建物躯体に固着して、方形枠状を呈するように設置されていることを特徴とする。
【００１４】
この発明においては、従来のように方形枠状に組み付けたアタッチメントを方形枠状の枠体に嵌め込み、アタッチメントを枠体にビスなどで固定するのではなく、アタッチメントの上部横材と下部横材と一方の側部縦材と他方の側部縦材をそれぞれ個別に建物躯体にビスなどで固定（固着）し、枠体を囲繞するようにアタッチメントを形成・設置することができる。
【００１５】
これにより、従来のように、方形枠状の枠体に、４周組み立てた状態の方形枠状のアタッチメントを取り付ける必要がないため、その取付作業時にアタッチメントを持って支える複数の作業者と、ビスなどで取り付けを行う作業者の作業内容が異なる複数の作業者が必要になったり、これら作業内容が異なる複数の作業者が狭所で協調しながら作業を行う必要をなくすことができる。よって、アタッチメントの取り付けを行う際の施工性を大幅に向上させることが可能になる。
【００１６】
また、本発明のサッシ構造においては、前記アタッチメントの少なくとも一部を前記枠体と離間させた状態で、前記アタッチメントが前記建物躯体に固設されていることが望ましい。
【００１７】
この発明においては、アタッチメントの上部横材や下部横材、一方の側部縦材、他方の側部縦材の少なくとも一部、さらに各部材の少なくとも一部を、枠体から離間させた状態で建物躯体に固設することにより、枠体やアタッチメントの寸法誤差を許容することができ、また、この隙間部分（空気層）によって熱伝導を抑止して熱伸縮が発生することを抑止できる。
【００１８】
本発明のサッシ構造の施工方法は、建物の開口部の周縁に設置され、戸体や窓本体であるサッシ本体を支持する方形枠状の枠体と、正面視で前記枠体を囲繞するように配設される方形枠状のアタッチメントとを備えるサッシ構造の施工方法であって、前記建物の開口部の周縁に枠体を設置する枠体設置工程と、正面視で前記枠体を囲繞するようにアタッチメントを設置するアタッチメント設置工程とを備え、且つ、前記アタッチメントが、上部横材と下部横材と一方の側部縦材と他方の側部縦材とを備えており、前記アタッチメント設置工程では、前記上部横材を建物躯体に固着して所定位置に設置した後に、前記一方の側部縦材と前記他方の側部縦材をそれぞれ建物躯体に固着して所定位置に設置し、前記一方の側部縦材と前記他方の側部縦材を設置した後に、前記下部横材を建物躯体に固着して所定位置に設置し、方形枠状のアタッチメントを形成することを特徴とする。
【００１９】
この発明においては、上部横材、一対の側部縦材を建物躯体に固着して設置した後、最後に下部横材を設置することで、方形枠状の枠体と方形枠状のアタッチメントの寸法誤差を、枠体の下枠とアタッチメントの下部横材の間の隙間として処理することができる。
そして、このように方形枠状の枠体と方形枠状のアタッチメントの寸法誤差を、枠体の下枠とアタッチメントの下部横材の間の隙間として処理（吸収・許容）することで、この隙間に水密処理を施すことにより容易に且つ確実な防水処理を講じることが可能になる。
【発明の効果】
【００２０】
本発明のサッシ構造及びサッシ構造の施工方法によれば、従来のように方形枠状に組み付けたアタッチメントを方形枠状の枠体に嵌め込んで、アタッチメントを枠体にビスなどで固定するのではなく、アタッチメントの上部横材と下部横材と一方の側部縦材と他方の側部縦材をそれぞれ個別に建物躯体にビスなどで固定し、枠体を囲繞するようにアタッチメントを形成・設置することができる。
【００２１】
これにより、取付作業時に、アタッチメントを持って支える複数の作業者と、ビスなどで取り付けを行う作業者の作業内容が異なる複数の作業者が必要になったり、これら作業内容が異なる複数の作業者が狭所で協調しながら作業を行う必要をなくすことができ、アタッチメントの取り付けを行う際の施工性を大幅に向上させることが可能になる。
【００２２】
よって、本発明のサッシ構造及びサッシ構造の施工方法によれば、容易に且つ確実にトリムフレームやフラットアタッチメントなどのアタッチメントを取り付けることができ、その施工性を大幅に向上させることが可能になる。
【図面の簡単な説明】
【００２３】
【図１】本発明の一実施形態に係るサッシ構造（枠体及びアタッチメント）を示す斜視図である。
【図２】本発明の一実施形態に係るサッシ構造（サッシ窓）を示す縦断面図である。
【図３】本発明の一実施形態に係るサッシ構造（サッシ窓）の変更例を示す縦断面図である。
【図４】本発明の一実施形態に係るサッシ構造（サッシ窓）を示す横断面図である。
【図５】本発明の一実施形態に係るアタッチメントの上部横材の取付作業を示す斜視図である。
【発明を実施するための形態】
【００２４】
以下、図１から図５を参照し、本発明の一実施形態に係るサッシ構造及びサッシ構造の施工方法について説明する。
【００２５】
本実施形態のサッシ構造Ａは、サッシ窓であり、図１から図３に示すように、建物の開口部の周縁に設置される方形枠状の枠体１と、枠体１に支持されて窓面を形成する窓本体２と、正面視で枠体１を囲繞するように配設される方形枠状のアタッチメント３とを備えて構成されている。
【００２６】
そして、本実施形態のサッシ構造Ａは、引違い窓であり、枠体１が上枠１ａと下枠１ｂと一対の縦枠１ｃ、１ｄを備えて方形枠状に形成されている。
【００２７】
また、この枠体１に開閉可能に支持される一対の窓本体（内側窓本体、外側窓本体）２はそれぞれ、上桟（上框）、下桟（下框）、一方の縦桟（縦框）、他方の縦桟（召し合せ框／縦框）からなる框２ａと、框２ａに外周端を保持されて窓面を形成するガラスパネル（障子）２ｂとを備えて構成されている。
【００２８】
一方、本実施形態のサッシ構造Ａのアタッチメント３は、サッシ窓の周囲に装飾を施すためのトリムフレームであり、上部横材４と下部横材５と一方の側部縦材６と他方の側部縦材７とを備えて構成されている。また、上部横材４と下部横材５と一方の側部縦材６と他方の側部縦材７は分離して形成されており、それぞれ個別に建物躯体Ｔの所定位置にビス１０で固着し、方形枠状を呈するように設置されている。
【００２９】
また、本実施形態では、図１及び図５に示すように、上部横材４と下部横材５と一方の側部縦材６と他方の側部縦材７の各部材が、アルミ型材などで形成されている。さらに、各部材４〜７は、ビス１０で建物躯体Ｔに開口側を外側に向けて固着される断面略コ字状の本体部１１と、建物躯体Ｔに固着した状態で外側を向く本体部１１の開口部側に着脱可能に取り付けられ、トリムフレームとしての外観を形成する意匠パネル部１２と、本体部１１の側端部を閉塞させるように取り付けられる蓋部１３とを備えて構成されている。
【００３０】
また、本実施形態のアタッチメント３は、上部横材４と下部横材５と一方の側部縦材６と他方の側部縦材７の各部材が枠体１との間に水密材などの介装部材１７を介装し、枠体１との間に所定の隙間Ｈをあけて配設されている。
【００３１】
さらに、アタッチメント３の各部材４〜７の本体部１１がその枠体１と反対の側に突部１６を備えて形成されている。また、アタッチメント３は、突部１６が建物躯体Ｔ（本実施形態では外壁下地材１５）に当接するように本体部１１が配設されることで、本体部１１の少なくとも一部と建物躯体Ｔとの間に突部１６に起因した隙間Ｈ’をあけた状態でアタッチメント３が設置されている。
【００３２】
そして、上記のようなアタッチメント３を取り付ける際には（本実施形態のサッシ構造Ａの施工方法においては）、図１、図５（図２、図４）に示すように、建物の開口部の周縁に枠体１を設置し（枠体設置工程）、次に、正面視で枠体１を囲繞するようにアタッチメント３を設置する（アタッチメント設置工程）。さらに、アタッチメント設置工程では、上部横材４を建物躯体Ｔに固着して所定位置に設置した後に、一方の側部縦材６と他方の側部縦材７をそれぞれ、上端部を上部横材４の端部側の下面に水密材１７を介装しつつ当接させ、この状態で建物躯体Ｔに固着して所定位置に設置する。また、一方の側部縦材６と他方の側部縦材７を設置した後に、下部横材５を建物躯体Ｔに固着して所定位置に設置し、方形枠状のアタッチメント３を形成する。
【００３３】
また、このとき、下部横材５は、一対の側部縦材６、７の下端部に上面を当接させた状態で、枠体１の下枠１ｂとの上下方向の間に適宜隙間をあけて設置される。次に、この下部横材５と下枠１ｂとの間の隙間に水密材１８を塗布、充填し、この部分に防水対策を施してアタッチメント３の取付作業が完了する。
【００３４】
ここで、本実施形態では、図２に示すように、下部横材５が枠体１の下枠１ｂとの上下方向の間に適宜隙間をあけて設置されるものとしているが、図３に示すように、上部横材４と同様に下部横材５を構成してもよい。
【００３５】
そして、上記構成からなる本実施形態のサッシ構造Ａにおいては、従来のように方形枠状に組み付けたアタッチメント３を方形枠状の枠体１に嵌め込み、アタッチメント３を枠体１にビスなどで固定するのではなく、アタッチメント３の上部横材４と下部横材５と一方の側部縦材６と他方の側部縦材７をそれぞれ個別に建物躯体Ｔにビス１０などで固定（固着）し、枠体１を囲繞するようにアタッチメント３を形成・設置することができる。
【００３６】
これにより、従来のように、方形枠状の枠体１に、４周組み立てた状態の方形枠状のアタッチメント３を取り付ける必要がないため、その取付作業時にアタッチメント３を持って支える複数の作業者と、ビス１０などで取り付けを行う作業者の作業内容が異なる複数の作業者が必要になったり、これら作業内容が異なる複数の作業者が狭所で協調しながら作業を行う必要をなくすことができる。よって、アタッチメント３の取り付けを行う際の施工性を大幅に向上させることが可能になる。
【００３７】
さらに、上部横材４と下部横材５と一方の側部縦材６と他方の側部縦材７をそれぞれ個別に建物躯体Ｔにビス１０などで固定して方形枠状のアタッチメント３を形成できるため、枠体１の組立て公差やアタッチメント３の組立て公差の影響を受けずにその取付作業が行える。すなわち、従来のように取付作業時に枠体１がアタッチメント３に入らなかったり、非常に入りにくくなることを解消でき、また、従来と比較し、枠体１とアタッチメント３の取付作業に起因して高精度で枠体１やアタッチメント３を組み立てることを不要にすることができ、枠体１やアタッチメント３の組立ての出来寸法の管理を軽減することができる。
【００３８】
また、上部横材４と下部横材５と一方の側部縦材６と他方の側部縦材７をそれぞれ個別に建物躯体Ｔに固定してアタッチメント３を形成できるため、これら上部横材４と下部横材５と一方の側部縦材６と他方の側部縦材７を、単純な切断加工によって所定寸法で形成・製造することができる。これにより、サッシ構造Ａの低コスト化を図ることが可能になる。
【００３９】
さらに、アタッチメント３の上部横材４と下部横材５と一方の側部縦材６と他方の側部縦材７がそれぞれ建物躯体Ｔに固設され、枠体１と絶縁・分離しているため（枠体１と固着されていないため）、例えば直射日光を受けるなどして枠体１やアタッチメント３に熱伸びが発生した場合、さらに枠体１とアタッチメント３が異なる熱伸び量で変形した場合であっても、互いの変形が影響し合うことがなく、結果としてサッシ構造Ａの熱伸縮に伴う悪影響を回避することが可能になる。
【００４０】
よって、本実施形態のサッシ構造Ａによれば、容易に且つ確実にトリムフレームのアタッチメント３を取り付けることができ、その施工性を大幅に向上させることが可能になる。
【００４１】
また、本実施形態のサッシ構造Ａにおいては、アタッチメント３の上部横材４や下部横材５、一方の側部縦材６、他方の側部縦材７の少なくとも一部、さらに各部材４〜７の少なくとも一部を、水密材などの介装部材１７を介装したり、各部材４〜７の一部に突部１６を設けるなどして、枠体１や建物躯体Ｔとの間に隙間Ｈ、Ｈ’をあけた状態で固設することにより、アタッチメント３が、枠体１を建物躯体Ｔに固定するためのビスと干渉することを防止したり、この隙間Ｈ、Ｈ’部分の空気層によって熱伝導を抑止して熱伸縮が発生することを抑止することができる。これにより、好適にアタッチメント３を枠体１を囲繞するように設置することが可能になる。
【００４２】
また、本実施形態のサッシ構造Ａの施工方法においては、上部横材４、一対の側部縦材６、７を建物躯体Ｔに固着して設置した後、最後に下部横材５を設置することで、方形枠状の枠体１と方形枠状のアタッチメント３の寸法誤差を、枠体１の下枠１ｂとアタッチメント３の下部横材５の間の隙間として処理することができる。
そして、このように方形枠状の枠体１と方形枠状のアタッチメント３の寸法誤差を、枠体１の下枠１ｂとアタッチメント３の下部横材５の間の隙間として処理（吸収・許容）することで、この隙間に水密材１８処理を施すことにより容易に且つ確実な防水処理を講じることが可能になる。
【００４３】
すなわち、例えば枠体１の上枠１ａとアタッチメント３の上部横材４の間で枠体１とアタッチメント３の寸法誤差を処理する場合には、雨水などとの接触頻度が高い枠体１の上枠１ａとアタッチメント３の上部横材４の間の隙間を水密材１８処理することが必要になり、防止性を確実に且つ長期にわたって保持することが難しくなる。
これに対し、雨水などとの接触頻度が低い枠体１の下枠１ｂとアタッチメント３の下部横材５の間の隙間として寸法誤差を処理し、この隙間を水密材１８処理することで、水密材１８の施工性がよく、且つ雨水などとの接触頻度が低いため、確実且つ容易に所望の防水性を確保することができる。
【００４４】
以上、本発明に係るサッシ窓の一実施形態について説明したが、本発明は上記の一実施形態に限定されるものではなく、その趣旨を逸脱しない範囲で適宜変更可能である。
【００４５】
例えば、本実施形態では、サッシ構造Ａがサッシ窓であるものとし、さらにこのサッシ窓が引違い窓であるものとして説明を行ったが、本発明のサッシ構造がサッシ窓である場合に、引違い窓に限定する必要はなく、上げ下げ窓、ＦＩＸ窓（はめ殺し窓）、外開き窓、内倒し窓、折りたたみ窓、回転窓などのそれぞれ開閉方式や機能が異なる各種サッシ窓であってもよい。
【００４６】
また、本発明に係るサッシ構造は、サッシ窓でなくサッシ戸であってもよい。この場合には、建物の開口部の周縁に設置される方形枠状の枠体と、枠体に支持されて戸扉を形成する戸体（サッシ本体）と、正面視で枠体を囲繞するように配設される方形枠状のアタッチメントとを備えて構成される。そして、本実施形態と同様にアタッチメントを構成することにより、本実施形態と同様の作用効果を得ることができる。
【００４７】
さらに、本実施形態では、アタッチメントが装飾用のトリムフレームであるものとして説明を行ったが、本発明に係るアタッチメントは、方形枠状に形成され、サッシ構造の機能性、意匠性を向上させるために枠体を囲繞するように配設されるものであればよく、例えばシャッターユニット（ウイング枠）、窓用屋根（庇）、サッシ下枠と外側との間の段差を解消するためのフラットアタッチメント、既存窓枠に新規窓枠を取り付けて改修するための改修用フレームなどであってもよい。すなわち、トリムフレームに限定する必要はない。そして、このようにトリムフレーム以外のアタッチメントであっても、本実施形態と同様に構成、施工すれば、本実施形態と同様の作用効果を得ることが可能である。
【００４８】
また、本発明に係るアタッチメントは、本実施形態で示した形状（図１〜図５で示した断面形状）に限定されるものではない。
【符号の説明】
【００４９】
１      枠体
１ａ    上枠
１ｂ    下枠
１ｃ    縦枠
１ｄ    縦枠
２      窓本体（サッシ本体、戸体）
２ａ    框
２ｂ    障子
３      アタッチメント
４      上部横材
５      下部横材
６      一方の側部縦材
７      他方の側部縦材
１０    ビス
１１    本体部
１２    意匠パネル部
１３    蓋部
１５    外壁下地材
１６    突部
１７    介装部材（水密材）
１８    水密材
Ａ      サッシ構造（サッシ窓、サッシ戸）
Ｈ      隙間
Ｈ’    隙間
【図１】
2015190253.tif 000003
【図２】
2015190253.tif 000004
【図３】
2015190253.tif 000005
【図４】
2015190253.tif 000006
【図５】
2015190253.tif 000007